(57)【要約】【課題】下流側搬送装置において、無端回動体とガイド部材との間に詰まった刈取穀稈を容易に取り除くことが可能な自脱型コンバインが要望されている。【解決手段】刈取部４は、複数条の刈取穀稈が合流する合流部Ｊよりも搬送方向下流側において、合流した複数条の刈取穀稈を搬送する下流側搬送装置２１、２７を有している。下流側搬送装置２１、２７は、刈取穀稈を搬送する搬送経路Ｒ１側の部分が機体外側に位置し、かつ、刈取穀稈を搬送しない戻り経路Ｒ２側の部分が機体内側に位置するように構成された無端回動体２１Ａ、２７Ａと、無端回動体２１Ａ、２７Ａのうち搬送経路Ｒ１側の部分に対向して設けられ、刈取穀稈を案内するガイド部材２１Ｂ、２７Ｄと、を有している。ガイド部材２１Ｂ、２７Ｄは、無端回動体２１Ａ、２７Ａに近付く使用状態と、無端回動体２１Ａ、２７Ａから離れる離間状態とに切り替え可能に構成されている。【選択図】図６
2022001023.tif 000002
【特許請求の範囲】
【請求項１】
刈取穀稈を脱穀する脱穀装置と、
前記脱穀装置の前方に設けられ、複数条の植立穀稈を刈り取って刈取穀稈を合流させて前記脱穀装置に向けて搬送する刈取部と、を備え、
前記刈取部は、複数条の刈取穀稈が合流する合流部よりも搬送方向下流側において、合流した複数条の刈取穀稈を搬送する下流側搬送装置を有し、
前記下流側搬送装置は、刈取穀稈を搬送する搬送経路側の部分が機体外側に位置し、かつ、刈取穀稈を搬送しない戻り経路側の部分が機体内側に位置するように構成された無端回動体と、前記無端回動体のうち前記搬送経路側の部分に対向して設けられ、刈取穀稈を案内するガイド部材と、を有し、
前記ガイド部材は、前記無端回動体に近付く使用状態と、前記無端回動体から離れる離間状態とに切り替え可能に構成されている自脱型コンバイン。
【請求項２】
前記脱穀装置は、前記脱穀装置の横側部に設けられ、刈取穀稈の株元を挟持搬送するフィードチェーンを有し、
前記刈取部は、前記下流側搬送装置として、前記フィードチェーンに対して搬送方向上流側に配置され、合流した複数条の刈取穀稈の株元を挟持搬送して前記フィードチェーンに供給する供給搬送装置を有し、
前記供給搬送装置は、前記ガイド部材として、刈取穀稈の株元を案内する供給ガイドを有している請求項１に記載の自脱型コンバイン。
【請求項３】
前記刈取部は、平面視で機体前後方向に沿って延びる状態で設けられ、前記供給ガイドを支持する供給フレームを有し、
前記供給フレームは、前記供給フレームの前端部を支持する支持部を支点として、前記供給ガイドが前記使用状態となる機体内側の位置と前記供給ガイドが前記離間状態となる機体外側の位置とに亘って揺動可能に構成されている請求項２に記載の自脱型コンバイン。
【請求項４】
前記供給フレームは、前後中間部で折れ曲がり可能に構成されている請求項３に記載の自脱型コンバイン。
【請求項５】
前記刈取部は、前記下流側搬送装置とは別に構成され、刈取穀稈を搬送する無端回動搬送装置と、前記供給フレームと一体揺動可能に連結され、前記無端回動搬送装置の無端回動体を支持する搬送フレームと、を有し、
前記無端回動搬送装置の無端回動体にテンションを付与するテンション機構を備え、
前記テンション機構は、前記無端回動搬送装置の無端回動体にテンションを付与するテンション付与状態と前記無端回動搬送装置の無端回動体に対するテンションの付与を解除するテンション解除状態とに切り替え可能に構成されている請求項３又は４に記載の自脱型コンバイン。
【請求項６】
前記供給フレームを前記供給ガイドが使用状態となる状態に位置固定するロック状態と前記供給フレームの位置固定を解除するロック解除状態とに切り替え可能なロック機構が備えられている請求項３から５の何れか一項に記載の自脱型コンバイン。
【請求項７】
前記刈取部は、前記下流側搬送装置として、合流した複数条の刈取穀稈の穂先を係止搬送する穂先搬送装置を有し、
前記穂先搬送装置は、前記ガイド部材として、刈取穀稈の穂先を案内する穂先ガイドを有している請求項１又は２に記載の自脱型コンバイン。
【請求項８】
前記刈取部は、前記下流側搬送装置として、合流した複数条の刈取穀稈の穂先を係止搬送する穂先搬送装置を有し、
前記穂先搬送装置は、前記ガイド部材として、刈取穀稈の穂先を案内する穂先ガイドを有している請求項３から６の何れか一項に記載の自脱型コンバイン。
【請求項９】
前記穂先ガイドは、前記供給フレームに支持されている請求項８に記載の自脱型コンバイン。
【請求項１０】
前記穂先ガイドは、前記供給フレームのみに支持されている請求項９に記載の自脱型コンバイン。
【発明の詳細な説明】
【技術分野】
【０００１】
本発明は、自脱型コンバインに関する。
【背景技術】
【０００２】
従来、自脱型コンバインとして、例えば、特許文献１に記載の自脱型コンバインが知られている。特許文献１に記載の自脱型コンバインには、刈取穀稈を脱穀する脱穀装置（文献では「脱穀装置〔５〕」）と、脱穀装置の前方に設けられ、複数条の植立穀稈を刈り取って刈取穀稈を合流させて脱穀装置に向けて搬送する刈取部（文献では「刈取部〔２〕」）と、が備えられている。刈取部には、複数条の刈取穀稈が合流する合流部よりも搬送方向下流側において、合流した複数条の刈取穀稈を搬送する下流側搬送装置（文献では「供給搬送装置〔１９〕」）が備えられている。下流側搬送装置には、無端回動体と、無端回動体に対向して設けられ、刈取穀稈を案内するガイド部材と、が備えられている。
【先行技術文献】
【特許文献】
【０００３】
【特許文献１】特開２０１４−９７０３６号公報
【発明の概要】
【発明が解決しようとする課題】
【０００４】
特許文献１に記載の自脱型コンバインでは、大量の刈取穀稈が下流側搬送装置に集中することになる。このため、下流側搬送装置では、無端回動体とガイド部材との間に刈取穀稈が詰まり易い。そして、下流側搬送装置において、無端回動体とガイド部材との間に刈取穀稈が詰まると、詰まった刈取穀稈を取り除くことが困難である。
【０００５】
上記状況に鑑み、下流側搬送装置において、無端回動体とガイド部材との間に詰まった刈取穀稈を容易に取り除くことが可能な自脱型コンバインが要望されている。
【課題を解決するための手段】
【０００６】
本発明の特徴は、刈取穀稈を脱穀する脱穀装置と、前記脱穀装置の前方に設けられ、複数条の植立穀稈を刈り取って刈取穀稈を合流させて前記脱穀装置に向けて搬送する刈取部と、を備え、前記刈取部は、複数条の刈取穀稈が合流する合流部よりも搬送方向下流側において、合流した複数条の刈取穀稈を搬送する下流側搬送装置を有し、前記下流側搬送装置は、刈取穀稈を搬送する搬送経路側の部分が機体外側に位置し、かつ、刈取穀稈を搬送しない戻り経路側の部分が機体内側に位置するように構成された無端回動体と、前記無端回動体のうち前記搬送経路側の部分に対向して設けられ、刈取穀稈を案内するガイド部材と、を有し、前記ガイド部材は、前記無端回動体に近付く使用状態と、前記無端回動体から離れる離間状態とに切り替え可能に構成されていることにある。
【０００７】
本特徴構成によれば、ガイド部材を離間状態に切り替えることにより、無端回動体とガイド部材との間隔が広くなる。これにより、下流側搬送装置において、無端回動体とガイド部材との間に詰まった刈取穀稈を容易に取り除くことができる。
【０００８】
さらに、本発明において、前記脱穀装置は、前記脱穀装置の横側部に設けられ、刈取穀稈の株元を挟持搬送するフィードチェーンを有し、前記刈取部は、前記下流側搬送装置として、前記フィードチェーンに対して搬送方向上流側に配置され、合流した複数条の刈取穀稈の株元を挟持搬送して前記フィードチェーンに供給する供給搬送装置を有し、前記供給搬送装置は、前記ガイド部材として、刈取穀稈の株元を案内する供給ガイドを有していると好適である。
【０００９】
本特徴構成によれば、供給搬送装置において、供給ガイドを離間状態に切り替えることにより、無端回動体と供給ガイドとの間隔が広くなる。これにより、供給搬送装置において、無端回動体と供給ガイドとの間に詰まった刈取穀稈を容易に取り除くことができる。
【００１０】
さらに、本発明において、前記刈取部は、平面視で機体前後方向に沿って延びる状態で設けられ、前記供給ガイドを支持する供給フレームを有し、前記供給フレームは、前記供給フレームの前端部を支持する支持部を支点として、前記供給ガイドが前記使用状態となる機体内側の位置と前記供給ガイドが前記離間状態となる機体外側の位置とに亘って揺動可能に構成されていると好適である。
【００１１】
本特徴構成によれば、供給フレームが支持部を支点として機体内側の位置と機体外側の位置とに亘って揺動すると、無端回動体とガイド部材との間隔が左右方向に広くなる。これにより、供給搬送装置において、無端回動体と供給ガイドとの間に詰まった刈取穀稈を容易に取り除くことができる。
【００１２】
さらに、本発明において、前記供給フレームは、前後中間部で折れ曲がり可能に構成されていると好適である。
【００１３】
本特徴構成によれば、供給フレームが前後中間部で折れ曲がると、無端回動体とガイド部材との間隔が左右方向に、より広くなる。これにより、供給搬送装置において、無端回動体と供給ガイドとの間に詰まった刈取穀稈を、より容易に取り除くことができる。
【００１４】
さらに、本発明において、前記刈取部は、前記下流側搬送装置とは別に構成され、刈取穀稈を搬送する無端回動搬送装置と、前記供給フレームと一体揺動可能に連結され、前記無端回動搬送装置の無端回動体を支持する搬送フレームと、を有し、前記無端回動搬送装置の無端回動体にテンションを付与するテンション機構を備え、前記テンション機構は、前記無端回動搬送装置の無端回動体にテンションを付与するテンション付与状態と前記無端回動搬送装置の無端回動体に対するテンションの付与を解除するテンション解除状態とに切り替え可能に構成されていると好適である。
【００１５】
本特徴構成によれば、テンション機構をテンション解除状態に切り替えると、無端回動搬送装置の無端回動体の張り具合が緩むことになる。これにより、供給フレームを搬送フレームと一体的に揺動させる際に、無端回動搬送装置の無端回動体による制限を受け難くして、供給フレームを大きく揺動させることができる。
【００１６】
さらに、本発明において、前記供給フレームを前記供給ガイドが使用状態となる状態に位置固定するロック状態と前記供給フレームの位置固定を解除するロック解除状態とに切り替え可能なロック機構が備えられていると好適である。
【００１７】
本特徴構成によれば、通常の刈取作業を行う際には、ロック機構をロック状態に切り替えることにより、供給ガイドを使用状態に安定して保持することができる。そして、詰まった刈取穀稈を取り除く際には、ロック機構をロック解除状態に切り替えることにより、供給ガイドを離間状態に容易に切り替えることができる。
【００１８】
さらに、本発明において、前記刈取部は、前記下流側搬送装置として、合流した複数条の刈取穀稈の穂先を係止搬送する穂先搬送装置を有し、前記穂先搬送装置は、前記ガイド部材として、刈取穀稈の穂先を案内する穂先ガイドを有していると好適である。
【００１９】
本特徴構成によれば、穂先搬送装置において、穂先ガイドを離間状態に切り替えることにより、無端回動体と穂先ガイドとの間隔が広くなる。これにより、穂先搬送装置において、無端回動体と穂先ガイドとの間に詰まった刈取穀稈を容易に取り除くことができる。
【００２０】
さらに、本発明において、前記穂先ガイドは、前記供給フレームに支持されていると好適である。
【００２１】
本特徴構成によれば、穂先ガイドを支持する部材として供給フレームを利用することにより、穂先ガイドを支持する専用の部材を設けなくても済む。
【００２２】
さらに、本発明において、前記穂先ガイドは、前記供給フレームのみに支持されていると好適である。
【００２３】
本特徴構成によれば、穂先ガイドが供給フレームと一体的に揺動しても、穂先ガイドの移動が阻害されることがない。
【図面の簡単な説明】
【００２４】
【図１】コンバインを示す左側面図である。
【図２】刈取部を示す平面図である。
【図３】刈取部を示す左側面図である。
【図４】左株元搬送装置、掻き込みパッカ及びこれらの周辺構造を示す平面図である。
【図５】テンション機構をテンション解除状態に切り替えた状態を示す平面図である。
【図６】供給フレームが機体内側の位置に位置する状態を示す平面図である。
【図７】供給フレームが機体内側の位置に位置する状態を示す背面図である。
【図８】後フレーム部が機体外側に揺動した状態を示す背面図である。
【図９】供給フレームが機体外側の位置に位置する状態を示す平面図である。
【図１０】供給フレームが機体外側の位置に位置する状態を示す平面図であって、後フレーム部が機体外側に揺動した状態を示す平面図である。
【図１１】押さえ装置を示す平面図である。
【図１２】押さえ装置を示す斜視図である。
【図１３】押さえ装置を示す平面図であって、スプリングがスプリング保持機構によって所定の縮長状態に保持された状態を示す平面図である。
【発明を実施するための形態】
【００２５】
本発明を実施するための形態について、図面に基づき説明する。なお、以下の説明では、矢印Ｆ（図１及び図２参照）の方向を「機体の前方」、矢印Ｂ（図１及び図２参照）の方向を「機体の後方」、矢印Ｌ（図２参照）の方向を「機体の左方」、矢印Ｒ（図２参照）の方向を「機体の右方」とする。
【００２６】
〔コンバインの全体構成〕
図１には、自脱型コンバインを示している。本コンバインには、走行機体１が備えられている。走行機体１には、クローラ式の走行装置２と、走行装置２に支持される機体フレーム３と、が備えられている。走行機体１の前方には、植立穀稈を刈り取って刈取穀稈を機体後方に向けて搬送する刈取部４が設けられている。走行機体１の前部における右側部分には、運転部５が設けられている。運転部５の下方には、エンジンＥが設けられている。
【００２７】
刈取部４の後方には、刈取穀稈を脱穀処理する脱穀装置６が設けられている。すなわち、刈取部４は、脱穀装置６の前方に設けられている。脱穀装置６の左側部には、刈取穀稈の株元を挟持搬送するフィードチェーン７が設けられている。脱穀装置６の右隣には、脱穀処理後の穀粒を貯留する穀粒貯留タンク８が設けられている。穀粒貯留タンク８には、穀粒貯留タンク８内の穀粒を排出する穀粒排出装置９が接続されている。
【００２８】
〔刈取部〕
図１及び図２に示すように、刈取部４は、複数条（本実施形態では、六条）の植立穀稈を刈り取って刈取穀稈を合流させて脱穀装置６に向けて搬送するように構成されている。刈取部４は、機体左右方向に沿って延びる揺動軸心Ｘ１周りにおいて、植立穀稈の刈取作業を行う刈取作業位置（下降位置）と、植立穀稈の刈取作業を行わない非刈取作業位置（上昇位置）とに亘って揺動可能に構成されている。刈取部４には、植立穀稈を分草する複数（本実施形態では、七つ）の分草具１０と、植立穀稈を引き起こす複数（本実施形態では、六つ）の引き起こし装置１１と、植立穀稈の株元を掻き込む複数（本実施形態では、六つ）の掻き込みベルト１２と、植立穀稈を切断する刈刃装置１３と、刈取穀稈の株元を掻き込む複数（本実施形態では、六つ）の掻き込みパッカ１４と、刈取穀稈を機体後方に向けて搬送する搬送装置１５と、これらを支持する刈取フレーム１６と、が備えられている。
【００２９】
このような構成によれば、圃場の植立穀稈が分草具１０によって分草され、分草具１０によって分草された植立穀稈が引き起こし装置１１によって引き起こされることになる。そして、引き起こし装置１１によって引き起こされた植立穀稈が掻き込みベルト１２によって掻き込まれ、掻き込みベルト１２によって掻き込まれた植立穀稈が刈刃装置１３によって切断されることになる。そして、刈刃装置１３によって切断された刈取穀稈が掻き込みパッカ１４によって掻き込まれ、掻き込みパッカ１４によって掻き込まれた刈取穀稈が搬送装置１５によって機体後方に向けて搬送されることになる。
【００３０】
〔搬送装置〕
図２に示すように、搬送装置１５には、左搬送装置１７と、中搬送装置１８と、右搬送装置１９と、扱深さ搬送装置２０と、供給搬送装置２１（本発明に係る「下流側搬送装置」、「供給搬送装置」に相当）と、が備えられている。
【００３１】
左搬送装置１７は、左側二条の刈取穀稈を搬送するように構成されている。左搬送装置１７には、左株元搬送装置２２（本発明に係る「無端回動搬送装置」に相当）と、左穂先搬送装置２３と、が備えられている。
【００３２】
左株元搬送装置２２は、左側二条の刈取穀稈の株元を挟持搬送するように構成されている。左株元搬送装置２２には、突起付きの左株元チェーン２２Ａ（本発明に係る「無端回動体」に相当）と、左株元チェーン２２Ａに対向して設けられ、刈取穀稈の株元を案内する左株元ガイド２２Ｂと、左株元チェーン２２Ａが巻き付けられる駆動スプロケット２２Ｃ、従動スプロケット２２Ｄ及びローラ２２Ｅ、２２Ｆ、２２Ｇ等と、が備えられている。左株元チェーン２２Ａ及び左株元ガイド２２Ｂによって刈取穀稈の株元が挟持搬送されることになる。
【００３３】
左穂先搬送装置２３は、左側二条の刈取穀稈の穂先を係止搬送するように構成されている。左穂先搬送装置２３は、左株元搬送装置２２の上方に配置されている。左穂先搬送装置２３には、左穂先チェーン２３Ａと、左穂先チェーン２３Ａに取り付けられ、刈取穀稈の穂先に係止作用する複数の爪２３Ｂと、左穂先チェーン２３Ａが巻き付けられる駆動スプロケット２３Ｃ等と、が備えられている。
【００３４】
左穂先搬送装置２３は、左穂先チェーン２３Ａのうち刈取穀稈を搬送する搬送経路Ｒ１側の部分において、爪２３Ｂが左穂先チェーン２３Ａに対して起立する起立姿勢となり、左穂先チェーン２３Ａのうち刈取穀稈を搬送しない戻り経路Ｒ２側の部分において、爪２３Ｂが左穂先チェーン２３Ａに対して倒伏する倒伏姿勢となるように構成されている。
【００３５】
中搬送装置１８は、中央側二条の刈取穀稈を搬送するように構成されている。中搬送装置１８には、中株元搬送装置２４と、中穂先搬送装置２５と、が備えられている。
【００３６】
中株元搬送装置２４は、中央側二条の刈取穀稈の株元を挟持搬送するように構成されている。中株元搬送装置２４には、突起付きの中株元チェーン２４Ａと、中株元チェーン２４Ａに対向して設けられ、刈取穀稈の株元を案内する中株元ガイド２４Ｂと、中株元チェーン２４Ａが巻き付けられる駆動スプロケット２４Ｃ等と、が備えられている。中株元チェーン２４Ａ及び中株元ガイド２４Ｂによって刈取穀稈の株元が挟持搬送されることになる。
【００３７】
中穂先搬送装置２５は、中央側二条の刈取穀稈の穂先を係止搬送するように構成されている。中穂先搬送装置２５は、中株元搬送装置２４の上方に配置されている。中穂先搬送装置２５には、中穂先チェーン２５Ａと、中穂先チェーン２５Ａに取り付けられ、刈取穀稈の穂先に係止作用する複数の爪２５Ｂと、中穂先チェーン２５Ａが巻き付けられる駆動スプロケット２５Ｃ等と、が備えられている。
【００３８】
中穂先搬送装置２５は、中穂先チェーン２５Ａのうち刈取穀稈を搬送する搬送経路Ｒ１側の部分において、爪２５Ｂが中穂先チェーン２５Ａに対して起立する起立姿勢となり、中穂先チェーン２５Ａのうち刈取穀稈を搬送しない戻り経路Ｒ２側の部分において、爪２５Ｂが中穂先チェーン２５Ａに対して倒伏する倒伏姿勢となるように構成されている。
【００３９】
右搬送装置１９は、右側二条の刈取穀稈を搬送するように構成されている。右搬送装置１９には、右株元搬送装置２６と、右穂先搬送装置２７（本発明に係る「下流側搬送装置」、「穂先搬送装置」に相当）と、が備えられている。
【００４０】
右株元搬送装置２６は、右側二条の刈取穀稈の株元を挟持搬送するように構成されている。右株元搬送装置２６には、突起付きの右株元チェーン２６Ａと、右株元チェーン２６Ａに対向して設けられ、刈取穀稈の株元を案内する右株元ガイド２６Ｂと、が備えられている。右株元チェーン２６Ａ及び右株元ガイド２６Ｂによって刈取穀稈の株元が挟持搬送されることになる。
【００４１】
右穂先搬送装置２７は、右側二条の刈取穀稈の穂先を係止搬送するように構成されている。右穂先搬送装置２７は、右株元搬送装置２６の上方に配置されている。右穂先搬送装置２７には、右穂先チェーン２７Ａ（本発明に係る「無端回動体」に相当）と、右穂先チェーン２７Ａに取り付けられ、刈取穀稈の穂先に係止作用する複数の爪２７Ｂと、右穂先チェーン２７Ａに対向して設けられ、刈取穀稈の穂先を案内する右穂先ガイド２７Ｄ（本発明に係る「ガイド部材」、「穂先ガイド」に相当。図６参照）と、右穂先チェーン２７Ａが巻き付けられる駆動スプロケット２７Ｃ等と、が備えられている。
【００４２】
右穂先搬送装置２７は、右穂先チェーン２７Ａのうち刈取穀稈を搬送する搬送経路Ｒ１側の部分において、爪２７Ｂが右穂先チェーン２７Ａに対して起立する起立姿勢となり、右穂先チェーン２７Ａのうち刈取穀稈を搬送しない戻り経路Ｒ２側の部分において、爪２７Ｂが右穂先チェーン２７Ａに対して倒伏する倒伏姿勢となるように構成されている。右穂先チェーン２７Ａは、刈取穀稈を搬送する搬送経路Ｒ１側の部分における後部が機体外側（左側）に位置し、刈取穀稈を搬送しない戻り経路Ｒ２側の部分における後部が機体内側（右側）に位置するように構成されている。
【００４３】
扱深さ搬送装置２０は、左株元搬送装置２２、中株元搬送装置２４及び右株元搬送装置２６から刈取穀稈の株元を受け継いで挟持搬送するように構成されている。扱深さ搬送装置２０は、前支点で上下揺動可能に構成されている。扱深さ搬送装置２０が前支点で上下揺動することにより、扱深さが調節されることになる。
【００４４】
扱深さ搬送装置２０には、突起付きの扱深さチェーン２０Ａと、扱深さチェーン２０Ａに対向して設けられ、刈取穀稈の株元を案内する扱深さガイド２０Ｂと、が備えられている。扱深さチェーン２０Ａ及び扱深さガイド２０Ｂによって刈取穀稈の株元が挟持搬送されることになる。
【００４５】
供給搬送装置２１は、扱深さ搬送装置２０から刈取穀稈の株元を受け継いで挟持搬送するように構成されている。供給搬送装置２１は、フィードチェーン７に対して搬送方向上流側に配置されている。供給搬送装置２１は、右穂先搬送装置２７の後部の下方に配置されている。すなわち、右穂先搬送装置２７は、供給搬送装置２１の上方に配置されている。
【００４６】
供給搬送装置２１には、突起付きの供給チェーン２１Ａ（本発明に係る「無端回動体」に相当）と、供給チェーン２１Ａに対向して設けられ、刈取穀稈の株元を案内する供給ガイド２１Ｂ（本発明に係る「ガイド部材」、「供給ガイド」に相当）と、供給チェーン２１Ａが巻き付けられる駆動スプロケット２１Ｃ等と、が備えられている。供給チェーン２１Ａ及び供給ガイド２１Ｂによって刈取穀稈の株元が挟持搬送されることになる。供給チェーン２１Ａは、刈取穀稈を搬送する搬送経路Ｒ１側の部分が機体外側（左側）に位置し、かつ、刈取穀稈を搬送しない戻り経路Ｒ２側の部分が機体内側（右側）に位置するように構成されている。
【００４７】
このような構成によれば、左穂先搬送装置２３によって係止搬送された左側二条の刈取穀稈の穂先、中穂先搬送装置２５によって係止搬送された中央側二条の刈取穀稈の穂先、及び右穂先搬送装置２７によって係止搬送された右側二条の刈取穀稈の穂先が合流し、当該合流した刈取穀稈の穂先（六条の刈取穀稈の穂先）が右穂先搬送装置２７によって係止搬送されて脱穀装置６の扱室（図示省略）に供給されることになる。
【００４８】
また、左株元搬送装置２２によって挟持搬送された左側二条の刈取穀稈の株元、中株元搬送装置２４によって挟持搬送された中央側二条の刈取穀稈の株元、及び右株元搬送装置２６によって挟持搬送された右側二条の刈取穀稈の株元が合流し、当該合流した刈取穀稈の株元（六条の刈取穀稈の株元）が扱深さ搬送装置２０及び供給搬送装置２１によって挟持搬送され、最終的には、供給搬送装置２１によってフィードチェーン７に供給されることになる。
【００４９】
ここで、図２において、Ｊは、六条の刈取穀稈が合流する合流部を示している。供給搬送装置２１は、合流部Ｊよりも搬送方向下流側において、合流した六条の刈取穀稈の株元を挟持搬送するように構成されている。右穂先搬送装置２７は、合流部Ｊよりも搬送方向下流側において、合流した六条の刈取穀稈の穂先を係止搬送するように構成されている。
【００５０】
〔刈取フレーム〕
図３及び図４に示すように、刈取フレーム１６には、分草フレーム２８と、刈取軸ケース２９と、刈取駆動ケース３０と、引き起こし駆動軸ケース３１と、が備えられている。
【００５１】
分草フレーム２８は、分草具１０を支持するように、複数（本実施形態では、七つ）の分草具１０の夫々に対応して複数（本実施形態では、七つ）設けられている。刈取軸ケース２９は、揺動軸心Ｘ１（図１参照）周りで揺動可能に構成されている。刈取駆動ケース３０は、刈取軸ケース２９の前端部に機体左右方向に沿って延びる状態で連結されている。引き起こし駆動軸ケース３１は、刈取駆動ケース３０の左端部に立設されている。刈取軸ケース２９、刈取駆動ケース３０及び引き起こし駆動軸ケース３１の内部には、夫々、刈取部４の各部に動力を伝達するための軸（図示省略）等が設けられている。
【００５２】
〔テンション機構〕
図４に示すように、左株元チェーン２２Ａにテンションを付与するテンション機構３２が設けられている。テンション機構３２は、左株元チェーン２２Ａにテンションを付与するテンション付与状態（図４参照）と左株元チェーン２２Ａに対するテンションの付与を解除するテンション解除状態（図５参照）とに切り替え可能に構成されている。
【００５３】
テンション機構３２には、左株元チェーン２２Ａに接触するテンションローラ３３と、従動スプロケット２２Ｄの回転軸心と同一の揺動軸心Ｚ１周りで揺動可能に構成され、テンションローラ３３を回転可能に支持するテンションアーム３４と、テンションアーム３４を揺動軸心Ｚ１回りでテンションローラ３３が左株元チェーン２２Ａに接触する方向（テンション付与方向）に揺動付勢するスプリング３５と、テンションアーム３４を揺動操作するための操作レバー３６と、が備えられている。
【００５４】
テンションアーム３４には、テンションローラ３３が取り付けられる第一アーム部３４Ａと、スプリング３５が取り付けられる第二アーム部３４Ｂと、が備えられている。スプリング３５のうち第二アーム部３４Ｂ側の端部は、第二アーム部３４Ｂに連結されている。スプリング３５のうち第二アーム部３４Ｂと反対側の端部は、ロッド３７に連結されている。
【００５５】
ロッド３７は、ステー３８に位置変更可能に取り付けられている。ステー３８は、操作レバー３６に揺動可能に支持されている。ステー３８に対するロッド３７の位置を変更することにより、スプリング３５の付勢力を調整することができる。
【００５６】
操作レバー３６は、ステー３９に揺動軸心Ｚ２周りで揺動可能に支持されている。ステー３９は、引き起こし駆動軸ケース３１にボルト４０によって固定されている。
【００５７】
このような構成によれば、図４に示すように、操作レバー３６を揺動軸心Ｚ２周りで矢印方向に揺動操作すると、テンションアーム３４がスプリング３５によって揺動軸心Ｚ１回りでテンション付与方向に揺動付勢されることになる。これにより、テンションローラ３３が左株元チェーン２２Ａに接触して、左株元チェーン２２Ａにテンションが付与されることになる。すなわち、テンション機構３２は、テンション付与状態となる。
【００５８】
ここで、テンション付与状態では、操作レバー３６が死点ＤＰ１を越えて、ステー３９の角部に当接している。これにより、操作レバー３６が揺動軸心Ｚ２周りでこれ以上矢印方向に揺動することがない。
【００５９】
そして、図５に示すように、操作レバー３６を揺動軸心Ｚ２周りで矢印方向に揺動操作すると、スプリング３５の付勢力がテンションアーム３４に作用しなくなる。これにより、テンションローラ３３が左株元チェーン２２Ａから離間して、左株元チェーン２２Ａに対するテンションの付与が解除されることになる。すなわち、テンション機構３２は、テンション解除状態となる。
【００６０】
〔穂先ガイド〕
図６及び図７に示すように、右穂先ガイド２７Ｄには、上穂先ガイド２７Ｄａと、下穂先ガイド２７Ｄｂと、が備えられている。上穂先ガイド２７Ｄａは、右穂先チェーン２７Ａのうち刈取穀稈を搬送する搬送経路Ｒ１側の部分に対向して設けられ、刈取穀稈の穂先の上側部分を案内するように構成されている。下穂先ガイド２７Ｄｂは、右穂先チェーン２７Ａのうち刈取穀稈を搬送しない搬送経路Ｒ１側の部分に対向して設けられ、刈取穀稈の穂先の下側部分を案内するように構成されている。詳しくは後述するように、上穂先ガイド２７Ｄａ及び下穂先ガイド２７Ｄｂは、右穂先チェーン２７Ａに近付く使用状態（図６参照）と、右穂先チェーン２７Ａから離れる離間状態（図９及び図１０参照）とに切り替え可能に構成されている。
【００６１】
〔供給ガイド〕
図６に示すように、供給ガイド２１Ｂは、供給チェーン２１Ａのうち刈取穀稈を搬送する搬送経路Ｒ１側の部分に対向して設けられ、刈取穀稈の株元を案内するように構成されている。供給ガイド２１Ｂは、供給ガイド２１Ｂを供給チェーン２１Ａ側に移動付勢する押さえ装置４１に支持されている。詳しくは後述するように、供給ガイド２１Ｂは、供給チェーン２１Ａに近付く使用状態（図６参照）と、供給チェーン２１Ａから離れる離間状態（図９及び図１０参照）とに切り替え可能に構成されている。
【００６２】
〔左株元フレーム〕
図６及び図７に示すように、左株元チェーン２２Ａを支持する左株元フレーム４２（本発明に係る「搬送フレーム」、「支持部」に相当）が設けられている。左株元フレーム４２は、揺動軸心Ｚ３周りで左右揺動可能に引き起こし駆動軸ケース３１に支持されている。
【００６３】
左株元フレーム４２には、左穂先フレーム４３及び供給フレーム４４が支持されている。すなわち、左株元フレーム４２は、左穂先フレーム４３及び供給フレーム４４と一体揺動可能に連結されている。左穂先フレーム４３には、左穂先搬送装置２３（左穂先チェーン２３Ａ等）が支持されている。供給フレーム４４には、供給ガイド２１Ｂ、上穂先ガイド２７Ｄａ及び下穂先ガイド２７Ｄｂが支持されている。
【００６４】
〔供給フレーム〕
図６及び図７に示すように、供給フレーム４４は、平面視で機体前後方向に沿って延びる状態で設けられている。供給フレーム４４の前端部は、左株元フレーム４２に支持されている。すなわち、供給フレーム４４は、供給フレーム４４の前端部を支持する左株元フレーム４２を支点として、供給ガイド２１Ｂ、上穂先ガイド２７Ｄａ及び下穂先ガイド２７Ｄｂが使用状態となる機体内側の位置（機体右側の位置。図６参照）と供給ガイド２１Ｂ、上穂先ガイド２７Ｄａ及び下穂先ガイド２７Ｄｂが離間状態となる機体外側の位置（機体左側の位置。図９及び図１０参照）とに亘って揺動軸心Ｚ３周りで左右揺動可能に構成されている。供給フレーム４４には、供給フレーム４４の前側部分を構成する前フレーム部４５と、供給フレーム４４の後側部分を構成する後フレーム部４６と、が備えられている。
【００６５】
前フレーム部４５は、左株元フレーム４２に支持されている。前フレーム部４５の前端部には、左株元フレーム４２に取り付けられる前取り付け部４７が設けられている。左株元フレーム４２には、前取り付け部４７が取り付けられる取り付け部４８が設けられている。前取り付け部４７は、取り付け部４８にボルト固定されている。
【００６６】
後フレーム部４６は、揺動軸心Ｙ１周りで左右揺動可能に前フレーム部４５に支持されている。すなわち、供給フレーム４４は、前後中間部で折れ曲がり可能に構成されている。後フレーム部４６は、前フレーム部４５にボルト４９によって固定されている。
【００６７】
後フレーム部４６には、供給ガイド２１Ｂ、上穂先ガイド２７Ｄａ及び下穂先ガイド２７Ｄｂが支持されている。供給ガイド２１Ｂは、押さえ装置４１を介して後フレーム部４６に支持されている。上穂先ガイド２７Ｄａ及び下穂先ガイド２７Ｄｂは、ステー５０を介して後フレーム部４６に支持されている。上穂先ガイド２７Ｄａ及び下穂先ガイド２７Ｄｂは、供給フレーム４４のみに支持されている。
【００６８】
後フレーム部４６には、ステー５０が取り付けられる第一後取り付け部５１が設けられている。ステー５０は、第一後取り付け部５１にボルト固定されている。
【００６９】
刈取軸ケース２９の基端部からは、引き起こし装置１１の上部を支持する引き起こしフレーム５２が前側に向かって延び出ている。引き起こしフレーム５２からは、後フレーム部４６を支持する横フレーム５３が左側に向かって延び出ている。後フレーム部４６は、横フレーム５３を介して引き起こしフレーム５２に支持されている。
【００７０】
〔第一ロック機構〕
図６から図８に示すように、後フレーム部４６を前フレーム部４５に対して位置固定するロック状態と、後フレーム部４６の位置固定を解除するロック解除状態とに切り替え可能な第一ロック機構５４（本発明に係る「ロック機構」に相当）が設けられている。すなわち、第一ロック機構５４は、供給フレーム４４を供給ガイド２１Ｂ、上穂先ガイド２７Ｄａ及び下穂先ガイド２７Ｄｂが使用状態となる状態に位置固定するロック状態と後フレーム部４６の位置固定を解除するロック解除状態とに切り替え可能に構成されている。第一ロック機構５４は、前フレーム部４５と後フレーム部４６とに亘って構成されている。第一ロック機構５４には、ピン５５と、ピン５５に引っ掛け可能な前後のフック５６と、が備えられている。
【００７１】
ピン５５は、後フレーム部４６から前側に向かって突出し、かつ、後フレーム部４６から後側に向かって突出する状態で、後フレーム部４６に設けられている。前フレーム部４５には、ピン５５が係合可能なように、左側に向かって開口する係合溝４５ａが形成されている。
【００７２】
前後のフック５６は、揺動軸心Ｙ２周りで一体的に上下揺動可能なように、ステー５７に支持されている。ステー５７は、前フレーム部４５に設けられている。前後のフック５６を揺動操作するためのハンドル５８が設けられている。ステー５７とハンドル５８とに亘って、前後のフック５６を揺動軸心Ｙ２周りでピン５５に引っ掛かる側に揺動付勢するスプリング５９が設けられている。
【００７３】
このような構成によれば、図７に示すように、ピン５５を係合溝４５ａに係合させた状態で、ハンドル５８によって前後のフック５６を揺動操作して、前側のフック５６をピン５５の前端部に引っ掛け、かつ、後側のフック５６をピン５５の後端部に引っ掛けると（図７において、実線で描かれたフック５６を参照）、第一ロック機構５４がロック状態となる。こうして、後フレーム部４６が第一ロック機構５４によって前フレーム部４５に対して位置固定されることになる。
【００７４】
そして、ハンドル５８によって前後のフック５６を揺動操作して、ピン５５に対する前後のフック５６の引っ掛けを解除すると（図７において、二点鎖線で描かれたフック５６を参照）、第一ロック機構５４がロック解除状態となる。こうして、第一ロック機構５４による後フレーム部４６の位置固定が解除されることになる。
【００７５】
〔第二ロック機構〕
図６から図８に示すように、供給フレーム４４を横フレーム５３に対して位置固定するロック状態と、後フレーム部４６の位置固定を解除するロック解除状態とに切り替え可能な第二ロック機構６０（本発明に係る「ロック機構」に相当）が設けられている。すなわち、第二ロック機構６０は、供給フレーム４４を供給ガイド２１Ｂ、上穂先ガイド２７Ｄａ及び下穂先ガイド２７Ｄｂが使用状態となる状態に位置固定するロック状態と供給フレーム４４の位置固定を解除するロック解除状態とに切り替え可能に構成されている。第二ロック機構６０は、供給フレーム４４と横フレーム５３とに亘って構成されている。具体的には、第二ロック機構６０は、第一ステー６１と第二ステー６２とに亘って構成されている。第一ステー６１は、横フレーム５３の左端部に設けられている。第二ステー６２は、ステー５０の上面に設けられている。第一ステー６１と第二ステー６２とは、ボルト６３によって固定されている。第二ロック機構６０には、ピン６４と、ピン６４に引っ掛け可能なフック６５と、が備えられている。
【００７６】
ピン６４は、第一ステー６１の後面から後側に向かって突出する状態で、第一ステー６１に設けられている。ピン６４は、頭付きのピンによって構成されている。
【００７７】
フック６５は、第二ステー６２に対して後側に位置し、かつ、揺動軸心Ｙ３周りで上下揺動可能なように、第二ステー６２に支持されている。フック６５には、フック６５を揺動操作するためのハンドル６６が設けられている。フック６５を揺動軸心Ｙ３周りでピン６４に引っ掛かる側に揺動付勢する捩じりバネ６７が設けられている。
【００７８】
このような構成によれば、図７に示すように、ハンドル６６によってフック６５を揺動操作して、フック６５をピン６４に引っ掛けると（図７において、実線で描かれたフック６５を参照）、第二ロック機構６０がロック状態となる。こうして、供給フレーム４４が第二ロック機構６０によって供給ガイド２１Ｂ、上穂先ガイド２７Ｄａ及び下穂先ガイド２７Ｄｂが使用状態となる状態に位置固定されることになる。
【００７９】
そして、ハンドル６６によってフック６５を揺動操作して、ピン６４に対するフック６５の引っ掛けを解除すると（図７において、二点鎖線で描かれたフック６５を参照）、第二ロック機構６０がロック解除状態となる。こうして、第二ロック機構６０による供給フレーム４４の位置固定が解除されることになる。
【００８０】
〔供給ガイド及び穂先ガイドの離間状態への切り替え〕
図９に示すように、第二ロック機構６０による供給フレーム４４の位置固定を解除し、かつ、ボルト６３による第二ステー６２の固定を解除し、かつ、テンション機構３２をテンション解除状態に切り替える。
【００８１】
そして、供給フレーム４４を揺動軸心Ｚ３周りで機体横外側（左側）に揺動操作すると、供給フレーム４４の揺動に伴なって、供給ガイド２１Ｂが供給チェーン２１Ａから離間し、かつ、上穂先ガイド２７Ｄａ及び下穂先ガイド２７Ｄｂが右穂先チェーン２７Ａから離間することになる。その際、左株元フレーム４２及び左穂先フレーム４３は、供給フレーム４４と一体的に揺動することになる。
【００８２】
そして、図１０に示すように、第一ロック機構５４による後フレーム部４６の位置固定を解除し、かつ、ボルト４９による後フレーム部４６の固定を解除する。
【００８３】
そして、後フレーム部４６を揺動軸心Ｙ１周りで機体横外側（左側）に揺動操作すると、後フレーム部４６の揺動に伴なって、供給ガイド２１Ｂが供給チェーン２１Ａからさらに離間し、かつ、上穂先ガイド２７Ｄａ及び下穂先ガイド２７Ｄｂが右穂先チェーン２７Ａからさらに離間することになる。
【００８４】
このように、供給ガイド２１Ｂは、供給チェーン２１Ａに近付く使用状態（図６参照）と、供給チェーン２１Ａから離れる離間状態（図９及び図１０参照）とに切り替え可能に構成され、かつ、上穂先ガイド２７Ｄａ及び下穂先ガイド２７Ｄｂは、右穂先チェーン２７Ａに近付く使用状態（図６参照）と、右穂先チェーン２７Ａから離れる離間状態（図９及び図１０参照）とに切り替え可能に構成されている。
【００８５】
図１１及び図１２に示すように、押さえ装置４１は、供給ガイド２１Ｂを供給チェーン２１Ａ側に移動付勢するように構成されている。押さえ装置４１には、本体６８と、一対のロッド６９と、一対のスプリング７０と、脱着レバー７１と、スプリング保持機構７２と、が備えられている。
【００８６】
本体６８には、天板部６８Ａと、天板部６８Ａの左縁部から垂下する左側の側壁部６８Bと、天板部６８Ａの右縁部から垂下する右側の側壁部６８Ｂと、が備えられている。本体６８の右側部には、ピン７３が立設されている。
【００８７】
本体６８は、ステー７４を介して供給フレーム４４に支持されている。後フレーム部４６の後端部には、ステー７４が取り付けられる第二後取り付け部７５が設けられている。ステー７４は、第二後取り付け部７５にボルト固定されている。ステー７４には、本体６８を取り付けるためのピン７６が二つ設けられている。左側の側壁部６８Ｂには、ピン７６が貫通する貫通孔６８Ｂａが二つ形成されている。
【００８８】
ロッド６９は、左右の側壁部６８Ｂを貫通する状態で左右の側壁部６８Ｂにスライド可能に支持されている。ロッド６９のうち供給ガイド２１Ｂ側の端部は、供給ガイド２１Ｂに連結されている。
【００８９】
スプリング７０は、本体６８の内部において、ロッド６９の外周に設けられている。スプリング７０は、ロッド６９を供給チェーン２１Ａ側に移動付勢するように構成されている。
【００９０】
脱着レバー７１は、左側の側壁部６８Ｂに揺動軸心Ｘ２周りで揺動可能に支持されている。脱着レバー７１には、ピン７６に係合する係合溝７１ａが二つ形成されている。係合溝７１ａがピン７６に上側から係合することにより、ピン７６が貫通孔６８Ｂａから外れない状態で本体６８がステー７４に取り付けられることになる。
【００９１】
スプリング保持機構７２は、スプリング７０を所定の縮長状態（図１３参照）で保持するように構成されている。スプリング保持機構７２には、ワイヤー７７と、解除レバー７８と、が備えられている。
【００９２】
ワイヤー７７は、供給ガイド２１Ｂと解除レバー７８とに亘って設けられている。解除レバー７８は、天板部６８Ａに揺動軸心Ｚ４周りで揺動可能に支持されている。解除レバー７８には、アーム７９と、ハンドル８０と、が備えられている。アーム７９には、ワイヤー７７が取り付けられる第一アーム部７９Ａと、ハンドル８０が取り付けられる第二アーム部７９Ｂと、が備えられている。ハンドル８０は、使用状態と収納状態とに切り替え可能に構成されている。
【００９３】
このような構成によれば、図１３に示すように、解除レバー７８を揺動軸心Ｚ４周りで矢印方向に揺動操作すると、供給ガイド２１Ｂがワイヤー７７を介して引っ張られることになる。そして、第一アーム部７９Ａの先端部が死点ＤＰ２を越えて、第二アーム部７９Ｂがピン７３に当接すると、解除レバー７８が揺動軸心Ｚ４周りでこれ以上矢印方向に揺動することがなくなる。こうして、スプリング７０がスプリング保持機構７２によって所定の縮長状態で保持されることになる。
【００９４】
これにより、刈取穀稈が供給チェーン２１Ａと供給ガイド２１Ｂとの間に詰まった場合において、押さえ装置４１をステー７４から取り外す際に、脱着レバー７１にスプリング７０の付勢力が作用して、脱着レバー７１が左側の側壁部６８Ｂとピン７６の頭部とで強く挟まれることがない。したがって、ピン７６に対する係合溝７１ａの係合を解除するべく、脱着レバー７１を揺動軸心Ｘ２周りで容易に揺動操作（図１３において、二点鎖線で描かれた脱着レバー７１を参照）することができる。そして、脱着レバー７１を揺動軸心Ｘ２周りで揺動操作して、ピン７６に対する係合溝７１ａの係合を解除することにより、本体６８をピン７６から引き抜いて、押さえ装置４１をステー７４から取り外すことができる。
【００９５】
〔別実施形態〕
（１）上記実施形態では、供給フレーム４４は、前後中間部で折れ曲がり可能に構成されている。しかし、供給フレーム４４は、前後中間部で折れ曲がり不能に構成されていてもよい。
【００９６】
（２）上記実施形態では、供給フレーム４４は、左株元フレーム４２を支点として揺動可能に構成されている。しかし、供給フレーム４４は、左株元フレーム４２とは別の部材を支点として揺動可能に構成されていてもよい。
【００９７】
（３）上記実施形態では、本発明に係る「ロック機構」として、第一ロック機構５４及び第二ロック機構６０が備えられている。すなわち、本発明に係る「ロック機構」は、二つ備えられている。しかし、本発明に係る「ロック機構」は、一つであってもよい。また、本発明に係る「ロック機構」は、三つ以上であってもよい。
【００９８】
（４）上記実施形態では、上穂先ガイド２７Ｄａ及び下穂先ガイド２７Ｄｂは、供給フレーム４４のみに支持されている。しかし、上穂先ガイド２７Ｄａ及び下穂先ガイド２７Ｄｂは、供給フレーム４４と一体的に揺動可能であれば、供給フレーム４４に加えて、供給フレーム４４とは別の部材にも支持されていてもよい。
【００９９】
（５）上記実施形態では、刈取部４は、六条刈りに構成されている。しかし、刈取部４は、六条刈りに限定されるものではない。
【産業上の利用可能性】
【０１００】
本発明は、自脱型コンバインに利用可能である。
【符号の説明】
【０１０１】
４  刈取部
６  脱穀装置
７  フィードチェーン
２１  供給搬送装置（下流側搬送装置、供給搬送装置）
２１Ａ  供給チェーン（無端回動体）
２１Ｂ  供給ガイド（ガイド部材、供給ガイド）
２２  左株元搬送装置（無端回動搬送装置）
２２Ａ  左株元チェーン（無端回動体）
２７  右穂先搬送装置（下流側搬送装置、穂先搬送装置）
２７Ａ  右穂先チェーン（無端回動体）
２７Ｄ  右穂先ガイド（ガイド部材、穂先ガイド）
３２  テンション機構
４２  左株元フレーム（搬送フレーム、支持部）
４４  供給フレーム
５４  第一ロック機構（ロック機構）
６０  第二ロック機構（ロック機構）
Ｊ  合流部
Ｒ１  搬送経路
Ｒ２  戻り経路
【図１】
2022001023.tif 000003
【図２】
2022001023.tif 000004
【図３】
2022001023.tif 000005
【図４】
2022001023.tif 000006
【図５】
2022001023.tif 000007
【図６】
2022001023.tif 000008
【図７】
2022001023.tif 000009
【図８】
2022001023.tif 000010
【図９】
2022001023.tif 000011
【図１０】
2022001023.tif 000012
【図１１】
2022001023.tif 000013
【図１２】
2022001023.tif 000014
【図１３】
2022001023.tif 000015